(57)【要約】      （修正有）【課題】豊富に水素イオン含んだ酸化還元電位水を供給する、マイナス水素イオン水の生成が可能冷温水給水機を提供する。【解決手段】マイナス水素イオン水の生成が可能な冷温水給水機１は、熱湯の貯水タンク１０と、冷水の貯水タンク１１と、常温水道１２と、少なくとも１個のマイナス水素イオン水槽１３を有する。前記マイナス水素イオン水槽１３の入水端１３１と、熱湯の貯水タンク１０の入水端１０１と、冷水の貯水タンク１１の入水端１１１と、常温水道１２の入水端１２１には、浄水道１４が接続される。前記マイナス水素イオン水槽１３の出水端１３２と熱湯の貯水タンク１０の出水端１０２の間と、前記マイナス水素イオン水槽１３の出水端１３２と冷水の貯水タンク１１の出水端１１２の間と、前記マイナス水素イオン水槽１３の出水端１３２と常温水道１２の出水端１２２の間には、それぞれ混合還元槽１５が接続されて設置される。【選択図】図１
0003183006.tif 000002
【実用新案登録請求の範囲】
【請求項１】
熱湯の貯水タンクまたは冷水の貯水タンクまたは常温水道を有し、他にマイナス水素イオン水槽を有するマイナス水素イオン水の生成が可能な冷温水給水機であって、
前記マイナス水素イオン水槽の出水端と、熱湯の貯水タンクの出水端または冷水の貯水タンクの出水端または常温水道の出水端の間に混合還元槽が接続され、前記混合還元槽は冷温水給水機の出水バルブに接続されることを特徴とするマイナス水素イオン水の生成が可能な冷温水給水機。
【請求項２】
前記マイナス水素イオン水槽の入水端は、熱湯の貯水タンクの入水端または冷水の貯水タンクの入水端または常温水道の入水端と共に浄水道に接続されることを特徴とする請求項１に記載のマイナス水素イオン水の生成が可能な冷温水給水機。
【請求項３】
前記冷温水給水機には、別にフィルターが設置され、前記フィルターは、浄水をマイナス水素イオン水槽と、熱湯の貯水タンクまたは冷水の貯水タンクまたは常温水道に供給することを特徴とする請求項１に記載のマイナス水素イオン水の生成が可能な冷温水給水機。
【請求項４】
前記マイナス水素イオン水槽は、水素イオンを生成する還元電位水の機能性フィルターであることを特徴とする請求項１に記載のマイナス水素イオン水の生成が可能な冷温水給水機。
【請求項５】
前記マイナス水素イオン水槽が一個または一個以上設置されることを特徴とする請求項１に記載のマイナス水素イオン水の生成が可能な冷温水給水機。
【考案の詳細な説明】
【技術分野】
【０００１】
本考案は、マイナス水素イオン水の生成が可能な冷温水給水機に関し、特に、設置が簡単で、操作が容易で、便利に使用でき、給水機が提供する湯や水は随時豊富な水素イオン含んだ酸化還元電位水であるため、人体への吸収をよくすると同時に、健康促進効果を有することにより、適用性に優れ、進歩性を備えた理想的なマイナス水素イオン水の生成が可能な冷温水給水機に関する。
【背景技術】
【０００２】
水は生命の源であるにもかかわらず、商工業の発展伴い、その汚染の度合いがますます激しくなっている。その汚染原因は、例えば、各種重金属、工業廃棄物、農薬、化学製剤、牧畜廃棄物等であり、その結果、人類の生活に不可欠な各種農業、漁業、牧畜業製品が汚染されるだけでなく、間接的に人類の健康を脅かしている。特に、人の飲用水が汚染され、長期的に汚染水を飲用すると、慢性的な中毒とも言える毒素の蓄積が生じ、各種の疾病や症状を引き起こす原因となる。
【０００３】
したがって、飲用水の安全性を高めるために、各種の濾過、浄化設備が提供されている。このうち、現在比較的進歩的でよく利用されているのは、複数の濾過、浄化用フィルターを設置し、井戸水や水道水等の原水を濾過、浄化する方法である。また、各種機能性エネルギー(例えば、マイナス電位機能エネルギー、酸アルカリ機能エネルギー、マイナスイオン機能エネルギー、におい機能エネルギー)を生成することが可能な機能性フィルター(例えば、ミネラル石フィルター)を設置し、原水を濾過、浄化し、同時に理想的な酸、アルカリ値またはマイナス電位値またはその他の機能エネルギー値を含ませることで、人体に有益な効果をもたらす方法である。
【０００４】
さらに、機能性フィルターが生成する各種機能エネルギー中、マイナス水素イオンは、優れた還元水エネルギーを有し、且つ、分子が極めて小さく全ての体細胞に進入できるため、人体に対する作用と範囲も大きくなる。マイナス水素イオンは、水素イオンを細胞のミトコンドリアに提供して機能性エネルギーを生成し、脂質の燃焼に役立つため、体内の脂肪の割合を減少させるのに優れた効果を有し、健康や体型を維持する目的及び効果を達成することが研究で明らかになっている。しかし、水素はほとんど水に溶けず、一般の水に含まれる水素の量はわずか0.5〜1ppmである。これは百万分の一の濃度であり、マイナス水素イオンではない。したがって、飲水時にマイナス水素イオンを摂取する方法は、ほとんどが清潔な水が機能性フィルターを通過する際に、機能性フィルターを介して生成させるマイナス水素イオンが、水に付着して直接流れ出し、それを容器で受けて飲用するという方式である。しかしながら、マイナス水素イオンは、水に容易に溶けないという特性を有するため、水が貯め置かれる時間の経過に伴い徐々に消失し、通常は、機能性フィルターを通過した水をすぐに飲用することで、所定の飲用効果が得られる。
【０００５】
また、直接飲用するタイプの給水機は常温、熱湯、冷水等の飲用水が提供でき、使用上の利便性が高く広く使用されている。しかしながら、各種フィルターによる濾過、浄化を経た浄水は、熱交換された後に熱湯の貯水タンク、冷水の貯水タンクにそれぞれ貯水される。しかしながら、このような貯水方法では、機能フィルターを経て生成されたマイナス水素イオンが徐々に消失し、所定の使用効果が全く得られない。現在の各種直接飲用するタイプの給水機が提供する水は、熱湯の場合でも冷水の場合でも、マイナス水素イオンを含む浄水を提供することができないのは、このタイプの給水機にまだ改善の余地があるということを意味する。
【考案の概要】
【考案が解決しようとする課題】
【０００６】
本考案は、給水機が提供する浄水が、随時豊富な水素イオン含んだ酸化還元電位水であることで、人体への吸収をよくすると同時に健康促進効果を有し、適用性に優れ、進歩性を備えた理想的なマイナス水素イオン水の生成が可能な冷温水給水機を提供することを課題とする。
【課題を解決するための手段】
【０００７】
本考案のマイナス水素イオン水の生成が可能な冷温水給水機は、上述の欠点を改善するものであり、冷水温水給水機が供給する浄水が、随時豊富な水素イオン含んだ酸化還元電位水であることで、人体への吸収をよくすると同時に、健康促進効果を有することを特徴とする。
【０００８】
上記課題を解決するため、本考案のマイナス水素イオン水の生成が可能な冷温水給水機には、マイナス水素イオン水槽が設置される。前記マイナス水素イオン水槽の出水端と熱い湯の貯水タンク、冷水の貯水タンク及び常温水道の間には、それぞれ混合還元槽が設置され、且つ、接続されて構成される。この構造により、前記給水機の浄水はそれぞれ熱い湯の貯水タンク、冷水の貯水タンク、マイナス水素イオン水槽及び常温水道に進入した後、飲用したい水（湯または冷水または常温水）の出水バルブを開けると、前記マイナス水素イオン水槽が同時に水を放出して、混合還元槽において対応する水と混合される。出水バルブから放出された飲用水は、ただちに豊富な水素イオンを含む酸化還元電位水となり、所定の人体に吸収されやすく健康促進に効果がある水を提供する目的を達成する。
【考案の効果】
【０００９】
本考案のマイナス水素イオン水の生成が可能な冷温水給水機は、提供する浄水が随時豊富な水素イオン含んだ酸化還元電位水であることで、人体への吸収をよくすると同時に、健康促進効果を有する。
【図面の簡単な説明】
【００１０】
【図１】本考案の実施の形態を示した平面図である。
【考案を実施するための形態】
【００１１】
図１に示したように、本考案のマイナス水素イオン水の生成が可能な冷温水給水機１は、熱湯の貯水タンク１０と、冷水の貯水タンク１１と、常温水道１２と、少なくとも１個のマイナス水素イオン水槽１３を有する。前記マイナス水素イオン水槽１３の入水端１３１と、熱湯の貯水タンク１０の入水端１０１と、冷水の貯水タンク１１の入水端１１１と、常温水道１２の入水端１２１は、浄水道１４が接続される。前記マイナス水素イオン水槽１３の出水端１３２と熱湯の貯水タンク１０の出水端１０２の間と、前記マイナス水素イオン水槽１３の出水端１３２と冷水の貯水タンク１１の出水端１１２の間と、前記マイナス水素イオン水槽１３の出水端１３２と常温水道１２の出水端１２２の間には、それぞれ混合還元槽１５が接続されて設置される。前記それぞれの混合還元槽１５には、それぞれ対応する熱湯の出水バルブ１０３、冷水の出水バルブ１１３、常温水道の出水バルブ１２３が接続される。
【００１２】
前記浄水道１４は、濾過及び浄化を行なうフィルター装置１６の出水端１６１に接続され、熱湯の貯水タンク１０と、冷水の貯水タンク１１と、常温水道１２に接続される。そのため、マイナス水素イオン水槽１３を経た直後の浄水を直接飲用することが可能である。
【００１３】
前記マイナス水素イオン水槽１３は、水素イオンを生成する酸化還元電位水の機能性フィルターである。
【００１４】
上述の構成による本考案の冷温水給水機は、浄水が浄水道１４を経て、熱湯の貯水タンク１０と、冷水の貯水タンク１１と、常温水道１２に進入する。マイナス水素イオン水槽１３は、水素イオンを生成する還元マイナス電気水を有し、前記マイナス水素イオン水槽の出水端１３２と熱湯の貯水タンク１０の出水端１０２の間、前記マイナス水素イオン水槽の出水端１３２と冷水の貯水タンク１１の出水端１１２の間、前記マイナス水素イオン水槽の出水端１３２と常温水道１２の出水端１２２の間には、それぞれ混合還元槽１５が接続されて設置される。前記混合還元槽１５には、それぞれ対応する熱湯の出水バルブ１０３、冷水の出水バルブ１１３、常温水の出水バルブ１２３が接続される。これにより、いずれかの出水バルブ１０３、１１３、１２３を開けると、前記マイナス水素イオン水槽１３で生成された豊富な水素イオンを含んだ酸化還元電位水は、ただちに対応する混合還元槽１５において浄水と充分に混合され、浄水と共に出水バルブ１０３、１１３、１２３のいずれからら放出される。前記冷温水給水機が提供する浄水は、熱湯の場合でも、冷水の場合でも、常温水の場合でも、全て水素及びマイナス電位を含んだマイナス水素イオン水であり、人体に吸収されやすく、所定の健康促進効果を有する飲用水を提供する。
【００１５】
前記マイナス水素イオン水槽１３と混合還元槽１５の接続と設置は容易であり、且つ、一般に用いられている冷温水給水機の配置に悪影響を及ぼすことはない。給水パイプやジョイント等の簡単な部品を介して、熱湯の貯水タンク１０と、冷水の貯水タンク１１と、マイナス水素イオン水槽１３を接続させるだけで、従来の冷温水給水機を用いて、本考案の構造を形成することも可能である。故に、実施面から見ても、本考案の使用範囲は広く、コストを抑えて使用価値を高めることができる。
【００１６】
つまり、本考案には少なくとも以下の長所がある。
１．設置が簡単で経済性に優れる。
２．操作が簡単で便利であるため使用効率の価値を高める。
３．冷水温水給水機が提供する浄水は豊富な水素イオン含んだ酸化還元電位水であるため、人体への吸収をよくすると同時に、健康促進効果を有する。
【産業上の利用可能性】
【００１７】
本考案のマイナス水素イオン水の生成が可能な冷温水給水機は設置が簡単で、操作しやすく、便利に使用できて、給水機が提供する熱湯や冷水は随時豊富な水素イオン含んだ酸化還元電位水であるため、人体への吸収をよくすると同時に健康促進効果を有し、適用性に優れ、進歩性を備える。
【符号の説明】
【００１８】
１  冷温水給水機
１０  熱湯の貯水タンク
１０１  入水端
１０２  出水端
１０３  出水バルブ
１１  冷水の貯水タンク
１１１  入水端
１１２  出水端 
１１３  出水バルブ
１２  常温水道
１２１  入水端
１２２  出水端
１２３  出水バルブ
１３  マイナス水素イオン水槽
１３１  入水端
１３２  出水端
１４  浄水道
１５  混合還元槽
１６  フィルター装置
１６１   出水端
【図１】
0003183006.tif 000003